(57)【要約】【課題】USBポートの施錠装置を提供する。【解決手段】本考案はUSBポートの一種の施錠装置を提供するものであり、挿入ヘッド部及びグリップ部を含む。前記挿入ヘッド部は両端にそれぞれ接続ソケット及びソケットを有している。この接続ソケットは前記USBポートと互いに連結し、前記ソケットは両側にそれぞれ嵌合穴を有する。前記グリップ部の一端には結合型フックがある。前記結合型フックはプッシュスイッチで作動させるもので、前記プッシュスイッチを押して作動させる時に、前記結合型フックと前記嵌合穴がそれぞれ離れる。前記挿入ヘッド部をUSBポートに位置するようになる。前記プッシュスイッチの作動を停止する時、前記結合型フックと前記嵌合穴が互いに連結し、これにより前記挿入ヘッド部がグリップ部に位置するようになる。【選択図】図２
0003121136.tif 000002
【実用新案登録請求の範囲】
【請求項１】
一種USBポートの施錠装置であり、挿入ヘッド部及びグリップ部を包含し、
挿入ヘッド部は両端にそれぞれ接続ソケット及びソケットを具え、該接続ソケットはUSBポートと互いに連結し、該ソケットは両側にそれぞれ嵌合穴を有し、
グリップ部は一端には結合型フックを具え、
そのうち、前記結合型フックはプッシュスイッチで作動させるもので、前記プッシュスイッチを押して作動させる時に、前記結合型フックと前記嵌合穴がそれぞれ離れ、そのため前記挿入ヘッド部は前記USBポートに位置するようになり、前記プッシュスイッチの作動を停止する時、前記結合型フックと前記嵌合穴が互いに連結し、これにより前記挿入ヘッド部が前記グリップ部に位置するようになることを特徴とするUSBポートの施錠装置。
【請求項２】
請求項１記載のUSBポートの施錠装置において、当該グリップ部と前記挿入ヘッド部が対応するところに光源を設け、この光源は前記プッシュスイッチと電気連結され、前記プッシュスイッチを押し込み作動させる時、この光源は光を投射し照明を行うことを特徴とするUSBポートの施錠装置。
【請求項３】
請求項１記載のUSBポートの施錠装置において、前記結合型フック部は第一位置で前記グリップ部の外部に伸び、第二位置で前記グリップ部内に収納されることを特徴とするUSBポートの施錠装置。
【請求項４】
請求項１記載のUSBポートの施錠装置において、前記グリップ部は更にフラッシュディスクを具え、前記グリップ部の別の一端は前記USBポートと互いに連結するUSB コネクタに伸びていることを特徴とするUSBポートの施錠装置。
【請求項５】
請求項１記載のUSBポートの施錠装置において、前記ソケットは更に対置部を有し、かつ前記結合型フック部は相対する対応部を具えることを特徴とするUSBポートの施錠装置。
【考案の詳細な説明】
【技術分野】
【０００１】
本考案は一種の施錠装置に関するものであり、特にUSBポートを通じたデータ伝達、施錠してデータ抜き取りによる盗難を防止する一種の装置を指す。
【背景技術】
【０００２】
科学技術は日進月歩をとげている。各種規格のプラグ、ソケット及びケーブル等は、パソコンの普及及び３C(通信、コンピューター、家電産業)に於ける電子製品の発達に伴い、また各種さまざまな規格の周辺機器に対応するため、絶えず世代交代と進化がなされている。なかでもマイクロソフトWindows（登録商標）98が世に出てから、USB (Universal Serial Bus, 汎用シリアルバス)という新たなデータ伝送インターフェースが、非常に注目を集めるようになった。
【０００３】
実際には、USBという規格は早くも1996年にインテル(Intel)がすでに広め始めていたが、当時のOSはまだこのインターフェースのドライブ機能をサポートしていなかった。そのためこの新たなインターフェースは、Windows（登録商標）98が市場に出回るようになって始めて地位を確立したのである。USBは広く用いられているインターフェース規格であり、キーボード、マウス、ジョイスティック等の周辺機器に連結できる。従来キーボードの挿入ヘッド部は円形で内部に六本のピンを有する設計であり、またマウスはPS２の円形コネクタ、そして九ピンの角形コネクタという二種の異なる規格を有していた。コンピューターへの取り付け又は設備交換は、設計がこのように多様化されたため、ユーザーにとって非常に面倒なものとなってしまった。USBの機能は、これら形が異なるコネクタを統一するものなのである。
【０００４】
USBは便利にはなったが、それに伴いデータ漏洩が深刻な問題となった。誰でもフラッシュディスクを持っていればホスト上のUSBポートに挿入でき、コンピューターホスト内のバックアップデータが盗み取れてしまうのである。そのため市場ではUSBポートの一種の施錠装置が進化を遂げている。これについては図１を参照されたい。市場で見られるUSBポートの施錠装置1には以下のものが含まれる：可動ヘッド11、ハウジング12、スライドスイッチ13、接続アダプタ14及び二つのフック15。前記スライドスイッチ13は前記ハウジング12に位置し、第一位置91及び第二位置92の間を運動できる。前記接続アダプタ14は前記ハウジング12の一端にあり、そしてこの一端から伸びている。二つのフック15は前記ハウジング12内にあり、また前記スライドスイッチ13と連動する。前記スライドスイッチ13が第一位置91にある時、二つのフック15のフック先端部151は前記接続アダプタ14内に位置する。そのため前記接続アダプタ14は前記可動ヘッド11と互いに分離することができ、それにより前記可動ヘッド11はUSBポート(図では未表示)に位置し、USBポートを施錠しデータの読取を防止する。前記スライドスイッチ13が第二位置92にある時、二つのフック15のフック先端部151は前記接続アダプタ14の外側から伸びている。そのため前記接続アダプタ14は前記可動ヘッド11と互いに連結できる。そして接続アダプタ14は前記ハウジング12を用いUSBポートから前記可動ヘッド11を引き出し、USBポートを開き使用することができるのである。 
【０００５】
しかし、市場に見られるUSBポートの施錠装置1には以下の問題点がある：
１．単一のUSBポートにある施錠装置1は全ての可動ヘッド11と分離できるので、悪意を持つ者がUSBポートの施錠装置1を備えているだけで、同様に可動ヘッド11を開き必要なデータが盗み取れる。
２．前記施錠装置1 は使用時にスライドスイッチ13が押し込まれることでUSBポートが比較的破損しやすくなり、可動ヘッド11又はフラッシュディスクとUSBポートの互換性に影響を与える。
３．前記施錠装置1が単品であるため、ユーザーは別途購入しなければならず、そのため使用普及度及び消費者の使用意欲は比較的低い。
４．前記施錠装置1は照明装置がなく、明るさが不足している場所ではしばしば使用が不便なものとなる。
５．前記施錠装置1は体積が大きすぎ、収納にも不便で、それに伴い消費者の購買意欲も低まってしまう。
そのため上記の問題をいかに解決するかということが、業者にとっては問題解決と改善の面で常に差し迫ったこととなっているのである。
【考案の開示】
【考案が解決しようとする課題】
【０００６】
本考案の主な目的は、USBポートの一種の施錠装置を提供するものであり、挿入ヘッド部によりUSBポートと差し込み接続又は分離ができ、USBポートを施錠し、データ盗難を防止するという効果が得られるのである。
【０００７】
本考案の次の目的は、USBポートの一種の施錠装置を提供するものであり、押し込み方式で挿入ヘッド部をUSBポートと差し込み接続又は分離することができ、便利で迅速に施錠装置を使用するという効果が得られるものである。
【０００８】
本考案の別の目的は、USBポートの一種の施錠装置を提供するものであり、発光ダイオード光源を増やし、光線不足の環境でも使用できるという利便性がもたらせるのである。
【０００９】
本考案のまた別の目的は、USBポートの一種の施錠装置を提供するものであり、挿入ヘッド部を使用しない時は、施錠装置内に収納することで、収納空間を節約し、挿入ヘッド部の紛失を防ぐという効果が得られるものである。
【００１０】
本考案の更に別の目的は、USBポートの一種の施錠装置を提供するものであり、フラッシュディスクと結合し、一機で多機能という効果が得られるものである。
【００１１】
本考案の更に別の目的は、USBポートの一種の施錠装置を提供するものであり、ソケットを用いて対置部を設け、また結合型フック部は相対する対応部を有し、対置部及び対応部のサイズ及び位置の変化により施錠装置がパスワード対応する効果が得られるのである。
【課題を解決するための手段】
【００１２】
請求項１の考案は、一種USBポートの施錠装置であり、挿入ヘッド部及びグリップ部を包含し、
挿入ヘッド部は両端にそれぞれ接続ソケット及びソケットを具え、該接続ソケットはUSBポートと互いに連結し、該ソケットは両側にそれぞれ嵌合穴を有し、
グリップ部は一端には結合型フックを具え、
そのうち、前記結合型フックはプッシュスイッチで作動させるもので、前記プッシュスイッチを押して作動させる時に、前記結合型フックと前記嵌合穴がそれぞれ離れ、そのため前記挿入ヘッド部は前記USBポートに位置するようになり、前記プッシュスイッチの作動を停止する時、前記結合型フックと前記嵌合穴が互いに連結し、これにより前記挿入ヘッド部が前記グリップ部に位置するようになることを特徴とするUSBポートの施錠装置としている。
請求項２の考案は、請求項１記載のUSBポートの施錠装置において、当該グリップ部と前記挿入ヘッド部が対応するところに光源を設け、この光源は前記プッシュスイッチと電気連結され、前記プッシュスイッチを押し込み作動させる時、この光源は光を投射し照明を行うことを特徴とするUSBポートの施錠装置としている。
請求項３の考案は、請求項１記載のUSBポートの施錠装置において、前記結合型フック部は第一位置で前記グリップ部の外部に伸び、第二位置で前記グリップ部内に収納されることを特徴とするUSBポートの施錠装置としている。
請求項４の考案は、請求項１記載のUSBポートの施錠装置において、前記グリップ部は更にフラッシュディスクを具え、前記グリップ部の別の一端は前記USBポートと互いに連結するUSB コネクタに伸びていることを特徴とするUSBポートの施錠装置としている。
請求項５の考案は、請求項１記載のUSBポートの施錠装置において、前記ソケットは更に対置部を有し、かつ前記結合型フック部は相対する対応部を具えることを特徴とするUSBポートの施錠装置としている。
【考案の効果】
【００１３】
本考案はUSBポートの一種の施錠装置を提供するものであり、挿入ヘッド部及びグリップ部を含む。前記挿入ヘッド部は両端に接続ソケット及びソケットを有し、この接続ソケットは前記USBポートと互いに連結し、前記ソケットは両側にそれぞれ嵌合穴を有し、前記グリップ部は一端に結合型フック部を有する。前記結合型フック部はプッシュスイッチにより作動させる。前記プッシュスイッチを押し込んで作動させる時、前記結合型フック部と前記嵌合穴は互いに離れる。そのため前記挿入ヘッド部が前記USBポートに位置するようになる。前記プッシュスイッチの作動を停止する時、前記結合型フック部と前記嵌合穴は互いに連結し合う。そしてそのため前記挿入ヘッド部は前記グリップ部に位置するようになる。
【００１４】
本考案はUSBポートの施錠装置が比較的良好なものを提供する。前記ソケット内は更に対置部を有し、かつ前記結合型フック部は相対する対応部を有する。前記対置部及び前記対応部の位置及びサイズの大小を用いることで、前記結合型フック部と前記嵌合穴が互いに連結する時、それにより前記挿入ヘッド部が前記グリップ部に位置するようになるのである。
【考案を実施するための最良の形態】
【００１５】
図２に示したのは、本考案であるUSBポートの施錠装置の比較的良好な実施例を示した立体構造分解図である。本考案であるUSBポートの施錠装置2は挿入ヘッド部21及びグリップ部20を含む。前記挿入ヘッド部21は両端にそれぞれ接続ソケット211及びソケット212を有し、この接続ソケット211は前記USBポート(図では未表示)と互いに連結し合い、前記ソケット212は両端にそれぞれ嵌合穴213を有している。前記グリップ部20は上カバー22及び下カバー23が結合したもので、収納空間24を形成する。この収納空間24にはばね部品232が設けられ、前記上カバー22及び下カバー23はそれぞれ多少凹んでいる収納溝231を設ける。それにより滑動体25は前記収納空間24内に位置するようになるのである。またそのため滑動体25は前記ばね部品232を押さえつけ、更に前記収納溝231の両側を軌道として、前記ばね部品232の弾力に合わせ、直線移動運動を行うのである。
【００１６】
前記グリップ部20は一端に結合型フック部26を有し、この結合型フック部26は弾力性フック261及び誘導板262で構成されている。前記弾力性フック261は一体で形成され弾力性を有し、加力を通じてさまざまな開放状態を示し、加力が取り除かれた時、本体の弾力が初期状態に回復するのである。前記グリップ部20は両側にそれぞれプッシュスイッチ27を有している。このプッシュスイッチ27は圧力変換板28に装着される。前記プッシュスイッチ27はスイッチ支え271及び弾体272を有している。このスイッチ支え271は溝273により前記弾体272を収納する。図３及び図４に示したのは、本考案であるUSBポートの施錠装置に関する押し込み動作表示図である。加力が前記プッシュスイッチ27にある時は、前記圧力変換板28を用いて前記弾力性フック261の弓部263を押し込む。それにより前記弾力性フック261のフック先端部264は前記誘導板262内の第三位置93に位置するようになる。そのため前記弾力性フック261と前記嵌合穴213は互いに離れ、更にそれにより前記挿入ヘッド部21は前記USBポート(図では未表示)に位置するようになる。しかし加力を前記プッシュスイッチ27の地点で停止した時、前記弾体272の弾力を利用し、前記プッシュスイッチ27を初期状態に復帰させる。前記弾力性フック261のフック先端部264が前記誘導板262外部にある第四位置94に伸び、前記嵌合穴213と互いに連結しあう。前記挿入ヘッド部21はそれにより前記グリップ部20に位置し一体となすのである。
【００１７】
前記滑動体25は上カバー251及び下カバー252が結合されたもので、前記弾力性フック261は前記滑動体25内に設けられこれと一体となって運動する。上カバー251には円形穴254が設けられ、更に凸部253が円形穴254に設けられている。図５及び図６に示したのは、本考案であるUSBポートの施錠装置に関する使用及び収納動作表示図である。使用状態にある時、前記滑動体25は前記ばね部品232の弾力により前記ばね部品232を第五位置95まで動かす。またこれにより前記結合型フック部26は前記グリップ部20外部に伸びる。この時前記凸部253は第一位置決め孔221の外へ伸びる。収納状態にある時は、まず前記凸部253を第一位置決め孔221内に押し込み、更に前記結合型フック部26に力を加える。それにより前記滑動体25が前記ばね部品232を押し込み、また前記ばね部品232 が第六位置96に位置し、前記結合型フック部26が前記グリップ部20に入り込むことができるようになるのである。そして最後に前記凸部253が第二位置決め孔222の外側に伸び押さえつけられる。
【００１８】
本考案の好ましい実施例では、USBポートの施錠装置2は更に光源29を含む。この光源29は前記グリップ部20と前記挿入ヘッド部21が対応するところに設けられ、前記プッシュスイッチ27と電気連結されている。前記プッシュスイッチ27を押し込み作動させる時、この光源29は光を投射し照明を行う。
【００１９】
図７及び図８に示したのは、本考案であるUSBポートの一種の施錠装置に於ける多数パスワード構造の表示図である。本考案であるUSBポートの施錠装置2はパスワード機能を有するため、更に前記挿入ヘッド部21中のソケット212内に片側によっている対置部214を有し、かつ前記結合型フック部26の誘導板262には相対する対応部265 が設けられている。この対応部265のサイズLの大小及び位置の変化を利用することで、各種さまざまなパスワードに変化できる。また図８において、前記挿入ヘッド部21aのソケット212a内に更に中央部に位置する対置部214a を有する。そのため前記結合型フック部26aでは誘導板262aの中央部に位置する対応部265aが設けてある。それ故このような変化でグリップ部20は相対する挿入ヘッド部21を用いて結合できる。
【００２０】
図９に示したのは、本考案であるUSBポートの施錠装置がフラッシュディスクを結合した好ましい実施例での立体構造分解図である。本考案であるUSBポートの施錠装置2が有する前記グリップ部20は更にフラッシュディスク3を有し、前記フラッシュディスク3のUSBコネクタ31は前記結合型フック部26と相対する別の一端に位置する。そのためこのフラッシュディスク3をホストと連結しデータを伝達するのに用いることができるばかりでなく、また別にUSBポートの施錠装置2を用いることでUSBポートの使用を防止し、一機で多機能という効果が得られるのである。
【図面の簡単な説明】
【００２１】
【図１】市場に見られるUSBポートの施錠装置に関する立体構造分解図である。
【図２】本考案の好ましい実施例の立体構造分解図である。
【図３】本考案の押し込み動作表示図である。
【図４】本考案の押し込み動作表示図である。
【図５】本考案の使用及び収納動作表示図である。
【図６】本考案の使用及び収納動作表示図である。
【図７】本考案の多数パスワード構造の表示図である。
【図８】本考案の多数パスワード構造の表示図である。
【図９】本考案のフラッシュディスクを結合させた好ましい実施例の立体構造分解図である。
【符号の説明】
【００２２】
1  USBポートの施錠装置
11  可動ヘッド
12  ハウジング
13  スライドスイッチ
14  接続アダプタ
15  フック
151  フック先端部
2  USBポートの施錠装置
20  グリップ部
21、21a    挿入ヘッド部
211  接続ソケット
212、212a  ソケット
213  嵌合穴
214、214a  対置部
22  上カバー
221  第一位置決め孔
222  第二位置決め孔
23  下カバー
231  収納溝
232  ばね部品
24  収納空間
25  滑動体
251  上カバー
252  下カバー
253  凸部
254  円形穴
26、26a    結合型フック部
261  弾力性フック
262、262a  誘導板
263  弓部
264  フック先端部
265、265a  対応部
27  プッシュスイッチ
271  スイッチ支え
272  弾体
273  溝
28  圧力変換板
29  光源
3  フラッシュディスク
31  USBコネクタ
91  第一位置
92  第二位置
93  第三位置
94  第四位置
95  第五位置
96  第六位置
L  サイズ
【図１】
0003121136.tif 000003
【図２】
0003121136.tif 000004
【図３】
0003121136.tif 000005
【図４】
0003121136.tif 000006
【図５】
0003121136.tif 000007
【図６】
0003121136.tif 000008
【図７】
0003121136.tif 000009
【図８】
0003121136.tif 000010
【図９】
0003121136.tif 000011